(57)【特許請求の範囲】
【請求項１】
高電位側基準電圧と低電圧側基準電圧との差電圧を分圧する粗の抵抗群と、粗の抵抗群を構成する抵抗の端子間電圧を分圧する密の抵抗群とからなり、同一の分圧電圧をそれぞれ複数組のスイッチを介して並列に出力する基準電圧発生回路であって、
前記密の抵抗群を前記スイッチの各組毎に設け、各密の抵抗群を前記粗の抵抗群を構成する抵抗に並列に接続したことを特徴とする基準電圧発生回路。
【請求項２】
高電位側基準電圧と低電圧側基準電圧との差電圧を分圧する粗の抵抗群と、粗の抵抗群を構成する抵抗の端子間電圧を分圧する密の抵抗群とからなり、同一の分圧電圧をそれぞれ複数組のスイッチを介して並列に出力する基準電圧発生回路であって、
前記粗の抵抗群を前記高電位側基準電圧と低電圧側基準電圧との間に並列に接続するとともに、前記密の抵抗群を前記スイッチの各組毎に設け、各密の抵抗群を粗の抵抗群を構成する抵抗間に並列に接続したことを特徴とする基準電圧発生回路。
【請求項３】
請求項１又は２に記載の基準電圧発生回路において、
前記並列に設けた密の抵抗群のうち、粗の抵抗群に近い位置の抵抗を共通化したことを特徴とする基準電圧発生回路。
【請求項４】
高電位側基準電圧と低電圧側基準電圧との差電圧を分圧する粗の抵抗群と、粗の抵抗群を構成する抵抗の端子間電圧を分圧する密の抵抗群とからなり、同一の分圧電圧をそれぞれ複数組のスイッチを介して並列に出力する基準電圧発生回路であって、
前記密の抵抗群を前記スイッチの各組毎に設け、前記粗の抵抗群を構成する所定の抵抗の端子間電圧を分圧すべく、該抵抗に密の抵抗群を切替接続する切替回路を備えたことを特徴とする基準電圧発生回路。
【請求項５】
請求項１〜４のいずれかに記載の基準電圧発生回路において、
前記粗の抵抗群を構成する抵抗間の少なくとも一箇所に、高電位側及び低電圧側の基準電圧を分割した電圧を供給するようにしたことを特徴とする基準電圧発生回路。
【発明の詳細な説明】
【０００１】
【発明の属する技術分野】
本発明は、Ａ／Ｄ変換器、Ｄ／Ａ変換器等に使用される基準電圧発生回路に関する。
【０００２】
近年の半導体集積回路装置では、更なる高精度化が進められている。そのため、その装置に構成される基準電圧発生回路では、該回路で生成する基準電圧の安定化が要求されている。
【０００３】
【従来の技術】
図７は、従来の基準電圧発生回路の一例を示す。基準電圧発生回路１０は、抵抗値が等しい２つの抵抗Ｒ１からなる粗の抵抗群１１と、それぞれ抵抗値が等しい４つの抵抗Ｒ２からなる第１及び第２の密の抵抗群１２，１３とから構成される。
【０００４】
粗の抵抗群１１を構成する２つの抵抗Ｒ１は、高電位側基準電圧Ｖref1と低電位側基準電圧Ｖref2との間に直列に接続される。又、第１の密の抵抗群１２を構成する４つの抵抗Ｒ２は、基準電圧Ｖref1側の抵抗Ｒ１の端子間に直列に接続される。第２の密の抵抗群１３を構成する４つの抵抗Ｒ２は、基準電圧Ｖref2側の抵抗Ｒ１の端子間に直列に接続される。
【０００５】
つまり、基準電圧Ｖref1，Ｖref2の差電圧は粗の抵抗群１１の各抵抗Ｒ１にて等分され、更に各抵抗Ｒ１の端子間電圧は第１及び第２の密の抵抗群１２，１３の各抵抗Ｒ２にてそれぞれ４等分されることになる。ここで、この従来例では、第１及び第２の密の抵抗群１２，１３における抵抗Ｒ２の端子を、電位の高い順からノードＮ１〜Ｎ９とする。
【０００６】
ノードＮ１〜Ｎ３は、それぞれスイッチＳＡ１を介して後段の回路Ａ１に接続されるとともに、スイッチＳＢ１を介して後段の回路Ｂ１に接続される。又、ノードＮ３〜Ｎ５は、それぞれスイッチＳＡ２を介して後段の回路Ａ２に接続されるとともに、スイッチＳＢ２を介して後段の回路Ｂ２に接続される。又、ノードＮ５〜Ｎ７は、それぞれスイッチＳＡ３を介して後段の回路Ａ３に接続されるとともに、スイッチＳＢ３を介して後段の回路Ｂ３に接続される。又、ノードＮ７〜Ｎ９は、それぞれスイッチＳＡ４を介して後段の回路Ａ４に接続されるとともに、スイッチＳＢ４を介して後段の回路Ｂ４に接続される。尚、この回路Ａ１〜Ａ４と回路Ｂ１〜Ｂ４は、図示しないがそれぞれ独立した２つのＡ／Ｄ変換器のコンパレータである。
【０００７】
前記スイッチＳＡ１〜ＳＡ４，ＳＢ１〜ＳＢ４には、セレクト信号生成回路１４にて生成されるセレクト信号φＡ１〜φＡ４，φＢ１〜φＢ４がそれぞれ入力される。各スイッチＳＡ１〜ＳＡ４，ＳＢ１〜ＳＢ４は、セレクト信号φＡ１〜φＡ４，φＢ１〜φＢ４に基づいてオンオフ動作される。
【０００８】
このような基準電圧発生回路１０では、セレクト信号φＡ１〜φＡ４に基づいて、スイッチＳＡ１〜ＳＡ４が列毎に選択される（オンされる）。すると、選択されたスイッチＳＡ１〜ＳＡ４を介して、各ノードＮ１〜Ｎ９の電位が後段の回路Ａ１〜Ａ４に基準電圧としてそれぞれ出力される。
【０００９】
又、同様に、セレクト信号φＢ１〜φＢ４に基づいて、スイッチＳＢ１〜ＳＢ４が列毎に選択される（オンされる）。すると、選択されたスイッチＳＢ１〜ＳＢ４を介して、各ノードＮ１〜Ｎ９の電位が後段の回路Ｂ１〜Ｂ４に基準電圧としてそれぞれ出力される。尚、図示していないが、行方向（粗の抵抗群１１を構成する抵抗Ｒ１と平行な横方向）に後段の回路Ａ１〜Ａ４が接続されていてもよい。また、同じく行方向に後段の回路Ｂ１〜Ｂ４が接続されていてもよい。
【００１０】
【発明が解決しようとする課題】
ところが、前記スイッチＳＡ１〜ＳＡ４，ＳＢ１〜ＳＢ４はそのオンオフ動作時にスイッチングノイズが発生する。従って、仮に、セレクト信号φＡ１に基づいてスイッチＳＡ１が選択されている状態で、同時にセレクト信号φＢ１に基づいてスイッチＳＢ１が選択されると、スイッチＳＢ１の動作によってノードＮ１〜Ｎ３にスイッチングノイズが発生する。
【００１１】
この場合、特にノードＮ３はノードＮ１，Ｎ２に比べて、基準電圧Ｖref1，Ｖref2に対しインピーダンスが高くなるため、ノイズレベルが高くなる。そのため、そのノードＮ３から後段の回路Ａ１に出力される基準電圧が不安定となり、その基準電圧の精度が低下する。このことは、後段の回路Ａ１の誤動作の原因となる。
【００１２】
そこで、このような問題を解決するために、上記した基準電圧発生回路１０を回路Ａ１〜Ａ４及び回路Ｂ１〜Ｂ４に対してそれぞれ別個に設ける形態が考えられる。このようにすれば、各ノードに対して１つのスイッチが設けられることから、互いのスイッチのノイズが悪影響を及ぼすことはない。
【００１３】
しかしながら、このように構成すると回路面積が増大するとともに、個々の基準電圧発生回路毎にそれぞれ高電位側及び低電位側の基準電圧を供給する必要があるため、配線抵抗等によりその基準電圧が各回路毎にばらつくおそれがある。すると、それぞれの基準電圧発生回路内部で生成される基準電圧がばらつくことがあって、好ましい形態とはいえない。
【００１４】
従って、同一の基準電圧をそれぞれ並列に出力する場合、１つの基準電圧発生回路内で各々の基準電圧を生成する必要があった。
本発明は、上記問題点を解決するためになされたものであって、その目的は、高電位側及び低電位側の基準電圧の差電圧を分圧して、各分圧電圧をそれぞれ複数組のスイッチを介して並列に出力する基準電圧発生回路において、回路内部で生成する基準電圧を安定化し得る基準電圧発生回路を提供することにある。
【００１５】
【課題を解決するための手段】
請求項１に記載の発明は、高電位側基準電圧と低電圧側基準電圧との差電圧を分圧する粗の抵抗群と、粗の抵抗群を構成する抵抗の端子間電圧を分圧する密の抵抗群とからなり、同一の分圧電圧をそれぞれ複数組のスイッチを介して並列に出力する基準電圧発生回路であって、前記密の抵抗群を前記スイッチの各組毎に設け、各密の抵抗群を前記粗の抵抗群を構成する抵抗に並列に接続した。
【００１６】
請求項２に記載の発明は、高電位側基準電圧と低電圧側基準電圧との差電圧を分圧する粗の抵抗群と、粗の抵抗群を構成する抵抗の端子間電圧を分圧する密の抵抗群とからなり、同一の分圧電圧をそれぞれ複数組のスイッチを介して並列に出力する基準電圧発生回路であって、前記粗の抵抗群を前記高電位側基準電圧と低電圧側基準電圧との間に並列に接続するとともに、前記密の抵抗群を前記スイッチの各組毎に設け、各密の抵抗群を粗の抵抗群を構成する抵抗間に並列に接続した。
【００１７】
請求項３に記載の発明は、請求項１又は２に記載の基準電圧発生回路において、前記並列に設けた密の抵抗群のうち、粗の抵抗群に近い位置の抵抗を共通化した。
【００１８】
請求項４に記載の発明は、高電位側基準電圧と低電圧側基準電圧との差電圧を分圧する粗の抵抗群と、粗の抵抗群を構成する抵抗の端子間電圧を分圧する密の抵抗群とからなり、同一の分圧電圧をそれぞれ複数組のスイッチを介して並列に出力する基準電圧発生回路であって、前記密の抵抗群を前記スイッチの各組毎に設け、前記粗の抵抗群を構成する所定の抵抗の端子間電圧を分圧すべく、該抵抗に密の抵抗群を切替接続する切替回路を備えた。
【００１９】
請求項５に記載の発明は、請求項１〜４のいずれかに記載の基準電圧発生回路において、前記粗の抵抗群を構成する抵抗間の少なくとも一箇所に、高電位側及び低電圧側の基準電圧を分割した電圧を供給するようにした。
【００２０】
（作用）
従って、請求項１に記載の発明によれば、密の抵抗群がスイッチの各組毎に設けられ、各密の抵抗群が粗の抵抗群を構成する抵抗に並列に接続される。従って、スイッチで発生するスイッチングノイズが、相対する密の抵抗群にて生成される基準電圧に大きな影響を与えることはない。その結果、回路内部で生成する基準電圧を安定化することができる。
【００２１】
請求項２に記載の発明によれば、高電位側基準電圧と低電圧側基準電圧との間には粗の抵抗群が並列に接続されるとともに、密の抵抗群がスイッチの各組毎に設けられ、各密の抵抗群が粗の抵抗群を構成する抵抗間に並列に接続される。従って、スイッチで発生するスイッチングノイズが、相対する密の抵抗群にて生成される基準電圧に大きな影響を与えることはない。その結果、回路内部で生成する基準電圧を安定化することができる。
【００２２】
請求項３に記載の発明によれば、前記並列に設けた密の抵抗群のうち、粗の抵抗群に近い位置の抵抗が共通化されるので、回路面積の増大を抑えることができる。
【００２３】
請求項４に記載の発明によれば、密の抵抗群がスイッチの各組毎に設けられ、切替回路は、粗の抵抗群を構成する所定の抵抗の端子間電圧を分圧すべく、該抵抗に密の抵抗群を切替接続する。従って、粗の抵抗群に対して密の抵抗群の数を減らすことができる。その結果、回路面積の増大を抑えることができる。
【００２４】
請求項５に記載の発明によれば、粗の抵抗群を構成する抵抗間の少なくとも一箇所には、高電位側及び低電圧側の基準電圧を分割した電圧が供給される。すると、その分割した電圧によって、高電位側基準電圧と低電圧側基準電圧との差電圧が粗の抵抗群を構成する各抵抗の抵抗値のばらつきに影響されることなく等分される。従って、回路内部で生成する基準電圧をより安定化することができる。
【００２５】
【発明の実施の形態】
（第１の実施の形態）
以下、本発明を具体化した第１の実施の形態を図１に従って説明する。尚、説明の便宜上、図７に示す従来例と同様の構成については同一の符号を付してその説明を一部省略する。
【００２６】
図１は、本実施の形態の基準電圧発生回路１０ａ示す。粗の抵抗群１１における基準電圧Ｖref1側の抵抗Ｒ１の端子間には、第１の密の抵抗群１２と並列に第３の抵抗群１５が設けられている。即ち、基準電圧Ｖref1側の抵抗Ｒ１の端子間には、抵抗値が等しい４つの抵抗Ｒ２が第３の抵抗群１５として直列に接続される。
【００２７】
一方、基準電圧Ｖref2側の抵抗Ｒ１の端子間には、第２の密の抵抗群１３と並列に第４の密の抵抗群１６が設けられている。即ち、基準電圧Ｖref2側の抵抗Ｒ１の端子間には、抵抗値が等しい４つの抵抗Ｒ２が第４の抵抗群１６として直列に接続される。ここで、本実施の形態では、第３及び第４の密の抵抗群１５，１６における抵抗Ｒ２の端子を、電位の高い順からノードＮ１１〜Ｎ１９とする。
【００２８】
又、本実施の形態において、ノードＮ１〜Ｎ３にはそれぞれスイッチＳＡ１が、ノードＮ３〜Ｎ５にはそれぞれスイッチＳＡ２が、ノードＮ５〜Ｎ７にはそれぞれスイッチＳＡ３が、ノードＮ７〜Ｎ９にはそれぞれスイッチＳＡ４が接続される。一方、ノードＮ１１〜Ｎ１３にはそれぞれスイッチＳＢ１が、ノードＮ１３〜Ｎ１５にはそれぞれスイッチＳＢ２が、ノードＮ１５〜Ｎ１７にはそれぞれスイッチＳＢ３が、ノードＮ１７〜Ｎ１９にはそれぞれスイッチＳＢ４が接続される。
【００２９】
つまり、本実施の形態では、粗の抵抗群１１は回路Ａ１〜Ａ４及び回路Ｂ１〜Ｂ４において共通であって、第１及び第２の密の抵抗群１２，１３が回路Ａ１〜Ａ４に対して設けられるとともに、第３及び第４の密の抵抗群１５，１６が回路Ｂ１〜Ｂ４に対して設けられている。
【００３０】
このような基準電圧発生回路１０ａでは、セレクト信号φＡ１〜φＡ４に基づいて、スイッチＳＡ１〜ＳＡ４が列毎に選択される（オンされる）。すると、選択されたスイッチＳＡ１〜ＳＡ４を介して、各ノードＮ１〜Ｎ９の電位が後段の回路Ａ１〜Ａ４に基準電圧としてそれぞれ出力される。
【００３１】
又、セレクト信号φＢ１〜φＢ４に基づいて、スイッチＳＢ１〜ＳＢ４が列毎に選択される（オンされる）。すると、選択されたスイッチＳＢ１〜ＳＢ４を介して、各ノードＮ１１〜Ｎ１９の電位が後段の回路Ｂ１〜Ｂ４に基準電圧としてそれぞれ出力される。
【００３２】
このとき、仮に、セレクト信号φＡ１によってスイッチＳＡ１が選択されている状態で、同時にセレクト信号φＢ１が入力されても、第１及び第３の密の抵抗群１２，１５が別個に設けられているので、スイッチＳＢ１のスイッチングノイズによるノードＮ１〜Ｎ３でのノイズの発生が抑制される。
【００３３】
即ち、この場合、ノードＮ１３はノードＮ１１，Ｎ１２に比べて、基準電圧Ｖref1に対しインピーダンスが高くなるためノイズレベルが高くなるが、第１の密の抵抗群１２に対して２つの抵抗Ｒ２が介在され、かつ基準電圧Ｖref1が介在しているため、そのノイズが第１の密の抵抗群１２に伝搬しにくい。又、ノードＮ１（ノードＮ１１）にはスイッチＳＡ１と並列にスイッチＳＢ１が接続されているので、スイッチＳＡ１に対してスイッチＳＢ１のスイッチングノイズによる悪影響が懸念されるが、ノードＮ１（ノードＮ１１）は基準電圧Ｖref1に対しインピーダンスが低いので、スイッチＳＢ１のスイッチングノイズが小さい。
【００３４】
従って、このように構成された本実施の形態の基準電圧発生回路１０ａでは、それぞれの後段の回路Ａ１〜Ａ４，Ｂ１〜Ｂ４に対して安定した基準電圧を供給することができる。
【００３５】
上記したように、本実施の形態では、以下に示す作用効果を得ることができる。
（１）粗の抵抗群１１を構成する基準電圧Ｖref1側の抵抗Ｒ１の端子間には、後段の回路Ａ１，Ａ２に基準電圧を出力する第１の密の抵抗群１２と、後段の回路Ｂ１，Ｂ２に基準電圧を出力する第３の抵抗群１５が並列に設けられている。又、基準電圧Ｖref2側の抵抗Ｒ１の端子間には、後段の回路Ａ３，Ａ４に基準電圧を出力する第２の密の抵抗群１３と、後段の回路Ｂ３，Ｂ４に基準電圧を出力する第４の密の抵抗群１６が並列に設けられている。従って、スイッチＳＡ１，ＳＡ２，ＳＢ１，ＳＢ２で発生するスイッチングノイズが、相対する第１及び第３の密の抵抗群１２，１５にて生成される基準電圧に大きな影響を与えることはない。又、第２及び第４の密の抵抗群１３，１６も同様である。その結果、本実施の形態の基準電圧発生回路１０ａでは、回路内部で生成する基準電圧を安定化することができる。
【００３６】
（第２の実施の形態）
以下、本発明を具体化した第２の実施の形態を図２に従って説明する。尚、説明の便宜上、図１に示す前記第１の実施の形態と同様の構成については同一の符号を付してその説明を一部省略する。
【００３７】
図２は、本実施の形態の基準電圧発生回路１０ｂを示す。この基準電圧発生回路１０ｂには、前記粗の抵抗群１１に加えて、それぞれ抵抗値が等しい３つの抵抗Ｒ１からなる第２の粗の抵抗群１１ａが並列に設けられている。
【００３８】
即ち、第２の粗の抵抗群１１ａを構成する３つの抵抗Ｒ１は、高電位側基準電圧Ｖref1と低電位側基準電圧Ｖref2との間に直列に接続される。そして、第２の粗の抵抗群１１ａにおいて、基準電圧Ｖref1側の抵抗Ｒ１間にはノードＮ３及びノードＮ１３が接続され、基準電圧Ｖref2側の抵抗Ｒ１間にはノードＮ７及びノードＮ１７が接続される。
【００３９】
このような基準電圧発生回路１０ｂでは、第１の実施の形態と同様に、セレクト信号φＡ１〜φＡ４，φＢ１〜φＢ４に基づいて、スイッチＳＡ１〜ＳＡ４，ＳＢ１〜ＳＢ４が列毎に選択される（オンされる）。すると、選択されたスイッチＳＡ１〜ＳＡ４，ＳＢ１〜ＳＢ４を介して、各ノードＮ１〜Ｎ９，Ｎ１１〜Ｎ１９の電位が後段の回路Ａ１〜Ａ４，Ｂ１〜Ｂ４に基準電圧としてそれぞれ出力される。
【００４０】
このとき、仮に、セレクト信号φＡ１によってスイッチＳＡ１が選択されている状態で、同時にセレクト信号φＢ１が入力されても、第１及び第３の密の抵抗群１２，１５が別個に設けられているので、スイッチＳＢ１のスイッチングノイズによるノードＮ１〜Ｎ３でのノイズの発生が抑制される。
【００４１】
即ち、この場合、ノードＮ１２はノードＮ１１に比べて、基準電圧Ｖref1に対しインピーダンスが高くなるためノイズレベルが高くなるが、第１の密の抵抗群１２に対して１つの抵抗Ｒ２が介在され、かつ基準電圧Ｖref1が介在しているため、そのノイズが第１の密の抵抗群１２に伝搬しにくい。又、ノードＮ１（ノードＮ１１）にはスイッチＳＡ１と並列にスイッチＳＢ１が接続されているので、スイッチＳＡ１に対してスイッチＳＢ１のスイッチングノイズによる悪影響が懸念されるが、ノードＮ１（ノードＮ１１）は基準電圧Ｖref1に対しインピーダンスが低いので、スイッチＳＢ１のスイッチングノイズが小さい。
【００４２】
従って、このように構成された本実施の形態の基準電圧発生回路１０ｂでは、それぞれの後段の回路Ａ１〜Ａ４，Ｂ１〜Ｂ４に対して安定した基準電圧を供給することができる。
【００４３】
上記したように、本実施の形態では、以下に示す作用効果を得ることができる。
（１）基準電圧Ｖref1，Ｖref2間には粗の抵抗群１１，１１ａが並列に設けられ、更に粗の抵抗群１１，１１ａを構成する抵抗Ｒ１間に第１の密の抵抗群１２と第３の密の抵抗群１５とが平行に、第２の密の抵抗群１３と第４の密の抵抗群１６とが平行に設けられている。従って、スイッチＳＡ１，ＳＡ２，ＳＢ１，ＳＢ２で発生するスイッチングノイズが、相対する第１及び第３の密の抵抗群１２，１５にて生成される基準電圧に大きな影響を与えることはない。又、第２及び第４の密の抵抗群１３，１６も同様である。その結果、本実施の形態の基準電圧発生回路１０ｂでは、回路内部で生成する基準電圧を安定化することができる。
【００４４】
（第３の実施の形態）
以下、本発明を具体化した第３の実施の形態を図３に従って説明する。尚、説明の便宜上、図７に示す従来例と同様の構成については同一の符号を付してその説明を一部省略する。
【００４５】
図３は、本実施の形態の基準電圧発生回路１０ｃを示す。この基準電圧発生回路１０ｃでは、前記粗の抵抗群１１と、それぞれ抵抗値が等しい４つの抵抗Ｒ２からなる第１及び第２の密の抵抗群１２ａ，１３ａと、それぞれ一対の切替スイッチＳＡ１１，ＳＡ１２，ＳＢ１１，ＳＢ１２からなる切替回路１７とから構成される。
【００４６】
第１の密の抵抗群１２ａを構成する４つの抵抗Ｒ２は直列に接続され、その両端は、それぞれ切替スイッチＳＡ１１を介して基準電圧Ｖref1側の抵抗Ｒ１の端子間に接続されるとともに、それぞれ切替スイッチＳＡ１２を介して基準電圧Ｖref2側の抵抗Ｒ１の端子間に直列に接続される。ここで、本実施の形態では、第１の密の抵抗群１２ａにおける抵抗Ｒ２の端子を、電位の高い順からノードＮ２１〜Ｎ２５とする。そして、ノードＮ２１〜Ｎ２３は、それぞれスイッチＳＡ１を介して後段の回路Ａ１に接続される。又、ノードＮ２３〜Ｎ２５は、それぞれスイッチＳＡ２を介して後段の回路Ａ２に接続される。
【００４７】
第２の密の抵抗群１３ａを構成する４つの抵抗Ｒ２も同様に直列に接続され、その両端は、それぞれ切替スイッチＳＢ１１を介して基準電圧Ｖref1側の抵抗Ｒ１の端子間に接続されるとともに、それぞれ切替スイッチＳＢ１２を介して基準電圧Ｖref2側の抵抗Ｒ１の端子間に直列に接続される。ここで、本実施の形態では、第２の密の抵抗群１３ａにおける抵抗Ｒ２の端子を、電位の高い順からノードＮ２６〜Ｎ３０とする。そして、ノードＮ２６〜Ｎ２８は、それぞれスイッチＳＢ１を介して後段の回路Ｂ１に接続される。又、ノードＮ２８〜Ｎ３０は、それぞれスイッチＳＢ２を介して後段の回路Ｂ２に接続される。
【００４８】
前記切替スイッチＳＡ１１，ＳＡ１２，ＳＢ１１，ＳＢ１２には、セレクト信号生成回路１４ａにて生成されるセレクト信号φＡ１１，φＡ１２，φＢ１１，φＢ１２がそれぞれ入力される。各切替スイッチＳＡ１１，ＳＡ１２，ＳＢ１１，ＳＢ１２は、セレクト信号φＡ１１，φＡ１２，φＢ１１，φＢ１２に基づいてオンオフ動作される。又、スイッチＳＡ１，ＳＡ２，ＳＢ１，ＳＢ２には、セレクト信号生成回路１４ａにて生成されるセレクト信号φＡ１，φＡ２，φＢ１，φＢ２がそれぞれ入力される。各スイッチＳＡ１，ＳＡ２，ＳＢ１，ＳＢ２は、セレクト信号φＡ１，φＡ２，φＢ１，φＢ２に基づいてオンオフ動作される。
【００４９】
このような基準電圧発生回路１０ｃでは、セレクト信号φＡ１１が入力されると、切替スイッチＳＡ１１が選択される（オンされる）。すると、第１の密の抵抗群１２ａは、基準電圧Ｖref1側の抵抗Ｒ１の端子間電圧を４等分する。そして、セレクト信号φＡ１，φＡ２に基づいて、スイッチＳＡ１，ＳＡ２が列毎に選択される（オンされる）。すると、選択されたスイッチＳＡ１，ＳＡ２を介して、各ノードＮ２１〜Ｎ２５の電位が後段の回路Ａ１，Ａ２に基準電圧としてそれぞれ出力される。
【００５０】
又、セレクト信号φＡ１２が入力されると、切替スイッチＳＡ１２が選択される（オンされる）。すると、第１の密の抵抗群１２ａは、基準電圧Ｖref2側の抵抗Ｒ１の端子間電圧を４等分する。そして、セレクト信号φＡ１，φＡ２に基づいて、スイッチＳＡ１，ＳＡ２が列毎に選択される（オンされる）。すると、選択されたスイッチＳＡ１，ＳＡ２を介して、各ノードＮ２１〜Ｎ２５の電位が後段の回路Ａ１，Ａ２に基準電圧としてそれぞれ出力される。
【００５１】
一方、セレクト信号φＢ１が入力されると、切替スイッチＳＢ１１が選択される（オンされる）。すると、第２の密の抵抗群１３ａは、基準電圧Ｖref1側の抵抗Ｒ１の端子間電圧を４等分する。そして、セレクト信号φＢ１，φＢ２に基づいて、スイッチＳＢ１，ＳＢ２が列毎に選択される（オンされる）。すると、選択されたスイッチＳＢ１，ＳＢ２を介して、各ノードＮ２６〜Ｎ３０の電位が後段の回路Ｂ１，Ｂ２に基準電圧としてそれぞれ出力される。
【００５２】
又、セレクト信号φＢ２が入力されると、切替スイッチＳＢ１２が選択される（オンされる）。すると、第２の密の抵抗群１３ａは、基準電圧Ｖref2側の抵抗Ｒ１の端子間電圧を４等分する。そして、セレクト信号φＢ１，φＢ２に基づいて、スイッチＳＢ１，ＳＢ２が列毎に選択される（オンされる）。すると、選択されたスイッチＳＢ１，ＳＢ２を介して、各ノードＮ２６〜Ｎ３０の電位が後段の回路Ｂ１，Ｂ２に基準電圧としてそれぞれ出力される。
【００５３】
このとき、仮に、セレクト信号φＡ１，φＡ１１によってスイッチＳＡ１，ＳＡ１１が選択されている状態で、同時にセレクト信号φＢ１，φＢ１１が入力されても、第１及び第２の密の抵抗群１２ａ，１３ａが別個に設けられているので、スイッチＳＢ１のスイッチングノイズによるノードＮ２１〜Ｎ２３でのノイズの発生が抑制される。
【００５４】
即ち、この場合、ノードＮ２８はノードＮ２６，Ｎ２７に比べて、基準電圧Ｖref1に対しインピーダンスが高くなるためノイズレベルが高くなるが、第１の密の抵抗群１２ａに対して２つの抵抗Ｒ２が介在され、かつ基準電圧Ｖref1が介在しているため、そのノイズが第１の密の抵抗群１２ａに伝搬しにくい。
【００５５】
従って、このように構成された本実施の形態の基準電圧発生回路１０ｃでは、それぞれの後段の回路Ａ１，Ａ２，Ｂ１，Ｂ２に対して安定した基準電圧を供給することができる。
【００５６】
上記したように、本実施の形態では、以下に示す作用効果を得ることができる。
（１）本実施の形態では、粗の抵抗群１１に対して、後段の回路Ａ１，Ａ２に基準電圧を出力する第１の密の抵抗群１２ａと、後段の回路Ｂ１，Ｂ２に基準電圧を出力する第２の密の抵抗群１３ａとが別個に設けられている。従って、スイッチＳＡ１，ＳＡ２，ＳＢ１，ＳＢ２で発生するスイッチングノイズが、相対する第１及び第２の密の抵抗群１２ａ，１３ａにて生成される基準電圧に大きな影響を与えることはない。その結果、本実施の形態の基準電圧発生回路１０ｃでは、回路内部で生成する基準電圧を安定化することができる。
【００５７】
（２）しかも、切替回路１７によって、第１及び第２の密の抵抗群１２ａ，１３ａは粗の抵抗群１１を構成する所定の抵抗Ｒ１の端子間に切替接続され、所定の抵抗Ｒ１の端子間電圧を分圧する。従って、粗の抵抗群に対して密の抵抗群の数を減らすことができる。その結果、回路面積の増大を抑えることができる。
【００５８】
（第４の実施の形態）
以下、本発明を具体化した第４の実施の形態を図４に従って説明する。尚、説明の便宜上、図１に示す第１の実施の形態と同様の構成については同一の符号を付してその説明を一部省略する。
【００５９】
図４は、本実施の形態の基準電圧発生回路１０ｄ示す。この基準電圧発生回路１０ｄでは、前記第１の実施の形態と比べて、第１及び第３の密の抵抗群１２，１５におけるノードＮ２とノードＮ１２が接続され、ノードＮ４とノードＮ１４が接続される。そして、ノードＮ１，Ｎ２間の抵抗Ｒ２と、ノードＮ１１，Ｎ１２間の抵抗Ｒ２が共通化された抵抗Ｒ３に置換され、ノードＮ４，Ｎ５間の抵抗Ｒ２と、ノードＮ１４，Ｎ１５間の抵抗Ｒ２が共通化された抵抗Ｒ３に置換される。尚、本実施の形態では、この抵抗Ｒ３の抵抗値は、前記抵抗Ｒ２の半分の抵抗値である。
【００６０】
又、同様に、第２及び第４の密の抵抗群１３，１６におけるノードＮ６とノードＮ１６が接続され、ノードＮ８とノードＮ１８が接続される。そして、ノードＮ５，Ｎ６間の抵抗Ｒ２と、ノードＮ１５，Ｎ１６間の抵抗Ｒ２が共通化された抵抗Ｒ３に置換され、ノードＮ８，Ｎ９間の抵抗Ｒ２と、ノードＮ１８，Ｎ１９間の抵抗Ｒ２が共通化された抵抗Ｒ３に置換される。
【００６１】
このような基準電圧発生回路１０ｄでは、第１の実施の形態と同様に、セレクト信号φＡ１〜φＡ４，φＢ１〜φＢ４に基づいて、スイッチＳＡ１〜ＳＡ４，ＳＢ１〜ＳＢ４が列毎に選択される（オンされる）。すると、選択されたスイッチＳＡ１〜ＳＡ４，ＳＢ１〜ＳＢ４を介して、各ノードＮ１〜Ｎ９，Ｎ１１〜Ｎ１９の電位が後段の回路Ａ１〜Ａ４，Ｂ１〜Ｂ４に基準電圧としてそれぞれ出力される。
【００６２】
このとき、仮に、セレクト信号φＡ１によってスイッチＳＡ１が選択されている状態で、同時にセレクト信号φＢ１が入力されても、第１及び第３の密の抵抗群１２，１５がほぼ別個に設けられているので、スイッチＳＢ１のスイッチングノイズによるノードＮ１〜Ｎ３でのノイズの発生が抑制される。
【００６３】
即ち、この場合、ノードＮ１３はノードＮ１２，Ｎ１１に比べて、基準電圧Ｖref1に対しインピーダンスが高くなるためノイズレベルが高くなるが、第１の密の抵抗群１２に対して抵抗Ｒ２が介在され、かつ基準電圧Ｖref1が介在しているため、そのノイズが第１の密の抵抗群１２に伝搬しにくい。又、ノードＮ１（ノードＮ１１）及びノードＮ２（ノードＮ１２）にはそれぞれスイッチＳＡ１と並列にスイッチＳＢ１が接続されているので、スイッチＳＡ１に対してスイッチＳＢ１のスイッチングノイズによる悪影響が懸念されるが、ノードＮ１，Ｎ２（ノードＮ１１，Ｎ１２）は基準電圧Ｖref1に対しインピーダンスが比較的低いので、スイッチＳＢ１のスイッチングノイズが小さい。
【００６４】
従って、このように構成された本実施の形態の基準電圧発生回路１０ｄでは、それぞれの後段の回路Ａ１〜Ａ４，Ｂ１〜Ｂ４に対して安定した基準電圧を供給することができる。
【００６５】
上記したように、本実施の形態では、前記第１の実施の形態の作用効果に加えて、以下に示す作用効果を得ることができる。
（１）第１及び第３の密の抵抗群１２，１５では、ノードＮ１（Ｎ１１），Ｎ２（Ｎ１２）間の抵抗が共通化され、ノードＮ４（Ｎ１４），Ｎ５（Ｎ１５）間の抵抗が共通化される。又、同様に、第２及び第４の密の抵抗群１３，１６では、ノードＮ５（Ｎ１５），Ｎ６（Ｎ１６）間の抵抗が共通化され、ノードＮ８（Ｎ１８），Ｎ９（Ｎ１９）間の抵抗が共通化される。従って、回路面積の増大を抑えることができる。
【００６６】
（第５の実施の形態）
以下、本発明を具体化した第５の実施の形態を図５に従って説明する。尚、説明の便宜上、図１に示す第１の実施の形態と同様の構成については同一の符号を付してその説明を一部省略する。
【００６７】
図５は、本実施の形態の基準電圧発生回路１０ｅ示す。この基準電圧発生回路１０ｅでは、前記第１の実施の形態と比べて、粗の抵抗群１１を構成する２つの抵抗Ｒ１の中間点に基準電圧Ｖref3が供給される。この基準電圧Ｖref3は、前記基準電圧Ｖref1，Ｖref2の中間電圧である。
【００６８】
このように構成すれば、基準電圧Ｖref3の供給によって、基準電圧Ｖref1，Ｖref2の差電圧が粗の抵抗群１１を構成する各抵抗Ｒ１の抵抗値のばらつきに影響されることなく等分される。従って、このように構成された本実施の形態の基準電圧発生回路１０ｅでは、それぞれの後段の回路Ａ１〜Ａ４，Ｂ１〜Ｂ４に対してより安定した基準電圧を供給することができる。
【００６９】
（第６の実施の形態）
以下、本発明を具体化した第６の実施の形態を図６に従って説明する。尚、説明の便宜上、図１に示す第１の実施の形態と同様の構成については同一の符号を付してその説明を一部省略する。
【００７０】
図６は、本実施の形態の基準電圧発生回路１０ｆ示す。この基準電圧発生回路１０ｆでは、第１及び第３の密の抵抗群１２，１５を構成するそれぞれ４つの抵抗Ｒ２は、基準電圧Ｖref1，Ｖref2間に直列に接続される。又、第２及び第４の密の抵抗群１３，１６を構成するそれぞれ４つの抵抗Ｒ２は、基準電圧Ｖref2側の抵抗Ｒ１の端子間に直列に接続される。
【００７１】
つまり、基準電圧Ｖref1，Ｖref2の差電圧は粗の抵抗群１１の各抵抗Ｒ１にて等分され、更に基準電圧Ｖref2側の抵抗Ｒ１の端子間電圧は第２及び第４の密の抵抗群１３，１６の各抵抗Ｒ２にてそれぞれ４等分されることになる。又、基準電圧Ｖref1，Ｖref2は、第１及び第３の密の抵抗群１２，１５の各抵抗Ｒ２にてそれぞれ４等分されることになる。
【００７２】
このような基準電圧発生回路１０ｆでは、第１の実施の形態と同様に、セレクト信号φＡ１〜φＡ４，φＢ１〜φＢ４に基づいて、スイッチＳＡ１〜ＳＡ４，ＳＢ１〜ＳＢ４が列毎に選択される（オンされる）。すると、選択されたスイッチＳＡ１〜ＳＡ４，ＳＢ１〜ＳＢ４を介して、各ノードＮ１〜Ｎ９，Ｎ１１〜Ｎ１９の電位が後段の回路Ａ１〜Ａ４，Ｂ１〜Ｂ４に基準電圧としてそれぞれ出力される。
【００７３】
このとき、仮に、セレクト信号φＡ１によってスイッチＳＡ１が選択されている状態で、同時にセレクト信号φＢ１が入力されても、第１及び第３の密の抵抗群１２，１５が別個に設けられているので、スイッチＳＢ１のスイッチングノイズによるノードＮ１〜Ｎ３でのノイズの発生が抑制される。
【００７４】
即ち、この場合、ノードＮ１３はノードＮ１２，Ｎ１１に比べて、基準電圧Ｖref1に対しインピーダンスが高くなるためノイズレベルが高くなるが、第１の密の抵抗群１２に対して２つの抵抗Ｒ２が介在され、かつ基準電圧Ｖref1が介在しているため、そのノイズが第１の密の抵抗群１２に伝搬しにくい。又、ノードＮ１（ノードＮ１１）にはスイッチＳＡ１と並列にスイッチＳＢ１が接続されているので、スイッチＳＡ１に対してスイッチＳＢ１のスイッチングノイズによる悪影響が懸念されるが、ノードＮ１（ノードＮ１１）は基準電圧Ｖref1に対しインピーダンスが低いので、スイッチＳＢ１のスイッチングノイズが小さい。
【００７５】
従って、このように構成された本実施の形態の基準電圧発生回路１０ｆでは、前記第１の実施の形態と同様に、それぞれの後段の回路Ａ１〜Ａ４，Ｂ１〜Ｂ４に対して安定した基準電圧を供給することができる。
【００７６】
尚、本発明の実施の形態は以下のように変更してもよい。
○上記各実施の形態における粗の抵抗群１１，１１ａ、第１，第２の密の抵抗群１２，１２ａ，１３，１３ａ及び第３，第４の密の抵抗群１５，１６をそれぞれ構成する抵抗の数は、上記した個数に限定されるものではなく、必要に応じて適宜変更してもよい。
【００７７】
○上記各実施の形態では、粗の抵抗群１１，１１ａを構成する抵抗を同じ抵抗値の抵抗Ｒ１を用いて構成したが、異なる抵抗値の抵抗を用いて構成してもよい。又、同様に、各密の抵抗群１２，１２ａ，１３，１３ａ，１５，１６を構成する抵抗を同じ抵抗値の抵抗Ｒ２を用いて構成したが、異なる抵抗値の抵抗を用いて構成してもよい。
【００７８】
【発明の効果】
以上詳述したように、本発明によれば、高電位側及び低電位側の基準電圧の差電圧を分圧して、各分圧電圧をそれぞれ複数組のスイッチを介して並列に出力する基準電圧発生回路において、回路内部で生成する基準電圧を安定化し得る基準電圧発生回路を提供することができる。
【図面の簡単な説明】
【図１】  第１の実施の形態における基準電圧発生回路の回路図である。
【図２】  第２の実施の形態における基準電圧発生回路の回路図である。
【図３】  第３の実施の形態における基準電圧発生回路の回路図である。
【図４】  第４の実施の形態における基準電圧発生回路の回路図である。
【図５】  第５の実施の形態における基準電圧発生回路の回路図である。
【図６】  第６の実施の形態における基準電圧発生回路の回路図である。
【図７】  従来例における基準電圧発生回路の回路図である。
【符号の説明】
１１            粗の抵抗群
１２，１３      密の抵抗群
１５，１６      密の抵抗群
Ｒ１，Ｒ２      抵抗
ＳＡ１〜ＳＡ４  スイッチ
ＳＢ１〜ＳＢ４  スイッチ
Ｖref1          高電位側基準電圧
Ｖref2          低電位側基準電圧
【図１】
0003887489.tif 000002
【図２】
0003887489.tif 000003
【図３】
0003887489.tif 000004
【図４】
0003887489.tif 000005
【図５】
0003887489.tif 000006
【図６】
0003887489.tif 000007
【図７】
0003887489.tif 000008